(57)【要約】      （修正有）【課題】利用者の体に合う最適な形状・大きさで、利用者の成長にも対応することができ、低コストで買い換えが可能で、登下校時以外にも使用することができるランドセルを提供する。【解決手段】物品の収納及び出し入れが自在な収納部本体4と、収納部本体に装着する背負部材12とからなり、収納部本体には開口部と、開口部及び収納部本体の一部を被覆可能な冠部材6と、連結手段8が設けられ、背負部材には、一対の肩ベルト14と、収納部本体の連結手段と着脱自在に連結可能な連結手段16が設けられていることを特徴とする。また、背負部材を設けずに、収納部本体と一対の肩ベルトが、着脱自在に連結可能であっても良い。【選択図】図2
0003103330.tif 000002
【実用新案登録請求の範囲】
【請求項１】
物品の収納及び出し入れが自在な収納部本体と、該収納部本体と装着する背負部材とからなり、前記収納部本体には開口部と、該開口部及び該収納部本体の一部を被覆可能な冠部材と、連結手段が設けられ、前記背負部材には、一対の肩ベルトと、前記収納部本体の連結手段と着脱自在に連結可能な連結手段が設けられていることを特徴とするランドセル。
【請求項２】
前記収納部本体の側面の一部には、所定面積を有した連結面が設けられ、該連結面には前記連結手段が設けられ、前記背負部材には、前記収納部本体の該連結面に適合する形状をした連結面と、利用者の背中と対峙する対峙面とを有し、該対峙面には、一対の肩ベルトが設けられ、該背負部材の該連結面には、前記収納部本体の該連結手段と着脱自在に連結可能な連結手段が設けられていることを特徴とする請求項１に記載のランドセル。
【請求項３】
物品の収納及び出し入れが自在な収納部本体と、該収納部本体に設けられた一対の肩ベルトを備え、該収納部本体には開口部と、該開口部及び該収納部本体の一部を被覆可能な冠部材が設けられ、前記一対の肩ベルトは、該収納部本体との基部において、着脱自在に連結可能であることを特徴とするランドセル。
【請求項４】
物品の収納及び出し入れが自在な収納部本体が複数と、該収納部本体と装着する背負部材が一つ又は複数からなり、該複数の収納部本体の中の一つと、該背負部材の中の一つを装着してランドセルとするランドセルユニットであって、前記収納部本体には、開口部と、該開口部及び該収納部本体の一部を被覆可能な冠部材と、連結手段が設けられ、前記背負部材には、一対の肩ベルトと、前記収納部本体の前記連結手段と着脱自在に連結可能な連結手段が設けら、前記複数の収納部本体は収納容量及び／又は形状がそれぞれ異なることを特徴とするランドセルユニット。
【請求項５】
前記収納部本体の側面の一部には、所定面積を有した連結面が設けられ、該連結面には前記連結手段が設けられ、前記背負部材には、前記収納部本体の該連結面に適合する形状をした連結面と、利用者の背中と対峙する対峙面とを有し、該対峙面には、一対の肩ベルトが設けられ、該背負部材の該連結面には、前記収納部本体の該連結手段と着脱自在に連結可能な連結手段が設けられていることを特徴とする請求項４に記載のランドセルユニット。
【請求項６】
物品の収納及び出し入れが自在な収納部本体が複数と、該収納部本体に装着する一対の肩ベルトが一つ又は複数からなり、該複数の収納部本体の中の一つと、該一対の肩ベルトの中の一つを装着してランドセルとするランドセルユニットであって、前記収納部本体は、開口部と、該開口部及び該収納部本体の一部を被覆可能な冠部材が設けられ、前記一対の肩ベルトは、該収納部本体との基部において、着脱自在に連結可能であり、前記複数の収納部本体は収納容量及び／又は形状がそれぞれ異なることを特徴とするランドセルユニット。
【考案の詳細な説明】
【技術分野】
【０００１】
本考案は、主に小学生が登下校時に使用するランドセル及びランドセルユニットに関するものである。
【背景技術】
【０００２】
従来から小学校では、小学生が使用する鞄としてランドセルを指定しているのが一般的である。一般的なランドセルは、革製で箱形をしており、収納部には大きな開口部が設けられ、この開口部と収納部の側面を覆う冠部材が設けられているのが特徴である。
【０００３】
ランドセルは、製造がしっかりしていることと、登下校時しか使用されないため、使用不可になるほど損傷することが少ない。その結果、多くの生徒は小学校に入学時に購入したランドセルを卒業するまで使用している。また、革製であることから他の鞄製品と比べて価格も高いため、多少の傷が付いたとしてもそのまま我慢して使用し、頻繁に買い換えることがないという特徴を有している。
【０００４】
ところで、小学生の体は小学校在学中に急激に成長する。平成１４年度の小学校１年生の身長、体重の全国平均は、身長が１１６．８３ｃｍ、体重が２１．６６ｋｇとなっている。小学６年生の全国平均は、身長が１４５．３５ｃｍ、体重が３８．９６ｋｇとなっており、小学校に入学してから卒業するまでで、身長は約３０ｃｍ、体重は約１７ｋｇも大きく成長する。
【考案の開示】
【考案が解決しようとする課題】
【０００５】
上記したように小学生は急激に成長するが、ランドセルは小学校に入学してから卒業するまで同じものを使用しているため、ランドセルの大きさが体に合わず、体の負担になっているという問題が生じていた。例えば、ランドセルを購入する時、購入時の体に合わせた大きさのものを購入すると、数年後には生徒が成長してランドセルが小さくなり、体に合わなくなってしまう。また、購入時から数年後の成長を想定した大きさのものを購入しても、入学してから何年かは、体に合わない大きなランドセルを背負わなければならない。また、想定していた成長に誤差が生じると、結局は体に合わない大きさのランドセルを使用しなければならないという問題が生じていた。
【０００６】
この問題を解決するために、肩ベルトの長さを調節可能な構造にしたり、肩ベルトと収納部の基部が回転可能な構造にするなどして、肩ベルトの締め付けを緩和し、体への負担を軽減する様な対策が施されているが、根本的な解決には至っていない。
【０００７】
また、ランドセルは、小学校の登下校時に使用するための鞄として広く認知されているため、他の目的で使用されることがない。また、小学校を卒業してしまうと、使用することが全くなくなるため、利便性が極めて低いという問題も有していた。
【０００８】
また、小学校入学から卒業まで６年間も同じ鞄を使用するため、生徒達に飽きが生じてしまい、別の鞄や新しい鞄を欲しがるという問題も生じていた。
【０００９】
以上のことから、利用者の体に合う最適な形状・大きさで、利用者の成長に対応することができ、何回も買い換える必要が無く、登下校時以外にも使用することができるランドセル又はランドセルユニットの開発が望まれていた。
【課題を解決するための手段】
【００１０】
上記課題を解決するために、本考案に係るランドセルは、物品の収納及び出し入れが自在な収納部本体と、収納部本体と装着する背負部材とからなり、収納部本体には開口部と、開口部及び収納部本体の一部を被覆可能な冠部材と、連結手段が設けられ、背負部材には、一対の肩ベルトと、収納部本体の連結手段と着脱自在に連結可能な連結手段が設けられていることを特徴とする。
【００１１】
また、収納部本体の側面の一部には、所定面積を有した連結面が設けられ、連結面には連結手段が設けられ、背負部材には、収納部本体の連結面に適合する形状をした連結面と、利用者の背中と対峙する対峙面とを有し、対峙面には、一対の肩ベルトが設けられ、背負部材の連結面には、収納部本体の連結手段と着脱自在に連結可能な連結手段が設けられていても良い。
【００１２】
また、物品の収納及び出し入れが自在な収納部本体と、収納部本体に装着する一対の肩ベルトを備え、収納部本体には開口部と、開口部及び収納部本体の一部を被覆可能な冠部材が設けられ、一対の肩ベルトは、収納部本体との基部において、着脱自在に連結可能であっても良い。
【００１３】
また、前記課題を解決するために、本考案に係るランドセルユニットは、物品の収納及び出し入れが自在な収納部本体が複数と、収納部本体と装着する背負部材が一つ又は複数からなり、複数の収納部本体の中の一つと、背負部材の中の一つを装着してランドセルとするランドセルユニットであって、収納部本体には、開口部と、開口部及び収納部本体の一部を被覆可能な冠部材と、連結手段が設けられ、背負部材には、一対の肩ベルトと、収納部本体の連結手段と着脱自在に連結可能な連結手段が設けら、複数の収納部本体は収納容量及び／又は形状がそれぞれ異なることを特徴とする。
【００１４】
また、収納部本体の側面の一部には、所定面積を有した連結面が設けられ、連結面には連結手段が設けられ、背負部材には、収納部本体の連結面に適合する形状をした連結面と、利用者の背中と対峙する対峙面とを有し、対峙面には、一対の肩ベルトが設けられ、背負部材の連結面には、収納部本体の連結手段と着脱自在に連結可能な連結手段が設けられていても良い。
【００１５】
また、物品の収納及び出し入れが自在な収納部本体が複数と、収納部本体に装着する一対の肩ベルトが一つ又は複数からなり、複数の収納部本体の中の一つと、一対の肩ベルトの中の一つを装着してランドセルとするランドセルユニットであって、収納部本体は、開口部と、開口部及び該収納部本体の一部を被覆可能な冠部材が設けられ、一対の肩ベルトは、収納部本体との基部において、着脱自在に連結可能であり、複数の収納部本体は収納容量及び／又は形状がそれぞれ異なっていても良い。
【考案の効果】
【００１６】
本考案に係るランドセルは、収納部本体と背負部材とからなり、収納部本体と背負部材は着脱自在であるため、利用者の体に合う最適な背負部材と、使用目的に最適な収納部材を組み合わせて使用することができ、利用者の体に負担がかからない最適なランドセルを提供することができる。
【００１７】
また、利用者が成長して体に合わなくなったとしても、体に合う最適な背負部材と取り替えれば、ランドセルを再使用することができ、非常に効率が良い。
【００１８】
また、ランドセルの収納部本体又は背負部材のどちらかが破損しても、破損した部材のみを変更するだけで再使用が可能となるため、ランドセルを買い換える必要が無く、費用の負担も軽減することができる。
【００１９】
また、本考案に係るランドセルユニットは、それぞれの収納容量、形状が異なる複数の収納部本体と、一つ又は複数の背負部材とからなり、収納部本体と背負部材を任意に選択してランドセルとすることができるため、様々な組み合わせが可能となり、多種多様な使用目的にも対応可能で、体に合った最適なランドセルを入手することができる。
【００２０】
また、収納部本体及び背負部材を任意に選択して様々な組み合わせのランドセルができるため、飽きの生じさせないランドセルを提供することができる。
【考案を実施するための最良の形態】
【００２１】
本考案に係るランドセル２について、図を参照にしながら説明する。図１は、本考案に係るランドセル２を示した説明図で、図２はランドセル２を分解した説明図である。なお、これらの図は本考案を説明するためのものであって、本考案を何ら限定するものではない。
【００２２】
本考案に係るランドセル２は、物品の収納及び出し入れが自在な収納部本体４と、収納部本体４に装着する背負部材１２とからなることを特徴とする。
【００２３】
図３〜図６は、本考案に係る収納部本体４の一実施の形態を示した説明図である。図中では、収納部本体４が箱形に形成されているが、この形状に限定せず、図５及び図６に示されているようにリュックサックのような袋状にしても良く、適宜設定すれば良い。また、収納部本体４には、開口部と、冠部材６が設けられている。冠部材６は、開口部及び収納部本体４の一部を被覆する部材であり、図３に示されているように収納部本体４の一側面全体を被覆するような形状であっても良いし、図５に示されているように収納部本体４の一部のみを被覆するような形状であっても良い。開口部や冠部材６の形状、設置箇所などの条件は、適宜設定すれば良い。また、上記した収納部本体４とは別の形状の一つとして、冠部材６、開口部を有していなくても良い。
【００２４】
収納部本体４の材料としては、一般に市販されているランドセル２の材料と同様のものを使用すれば良いが、収納部本体４の形状や構造によって、一般的なランドセル２で使用されない材料が必要な場合は、適宜設定して使用すれば良い。
【００２５】
また、収納部本体４には、連結手段８が設けられていても良い。この連結手段８は、背負部材１２の連結手段１６と着脱自在に連結し、収納部本体４と背負部材１２を一体にする。連結手段８としては、ファスナー、バックル、マジックテープ（登録商標）や、これらの組み合わせなどを使用するのが良いが、上記目的を達成できるものであれば、どの様な手段、構造であっても良く、適宜設定すれば良い。また、連結手段８の設置数、設置箇所などは、収納部本体４と背負部材１２が安定して連結でき、容易に連結が外れないように適宜設定して設置すればよい。
【００２６】
また、収納部本体４の側部には、所定面積を有した連結面１０が設けられていても良い。この連結面１０は、背負部材１２の連結面１０と相対し、収納部本体４と背負部材１２を連結したときに接する面のことである。この連結面１０の大きさ及び形状などは、特に限定せず適宜設定すれば良い。また、この連結面１０は、必ずしも平面である必要はなく、湾曲していたり隆起を有していても良いが、収納部本体４と背負部材１２を連結したときに、互いの連結面１０が密接するような形状、構造であることが好ましい。
【００２７】
また、連結手段８がファスナーの場合は、図３に示されているように連結面１０の縁部に沿ってファスナーを設けても良い。
【００２８】
収納部本体４に設けられている図中の小ポケットや、図示されていないその他の装備、部材については、種々の条件を考慮して適宜設定すれば良い。
【００２９】
次に、図７及び図８は本考案に係る背負部材１２の一実施の形態を示した説明図である。本考案に係る背負部材１２は、一対の肩ベルト１４と、連結手段１６が設けられ、収納部本体４と着脱自在に連結可能であることを特徴とする。
【００３０】
図中では背負部材１２が略板状に形成されているが、必ずしもこの形状である必要はない。例えば、枠体であっても良いし、その他の形状であっても良く、背負部材１２と収納部本体４を連結してランドセル２とすることが可能であれば、背負部材１２はどの様な形状、構造であっても良い。
【００３１】
背負部材１２の材料としては、一般に市販されているランドセル２の材料と同様のものを使用すれば良いが、背負部材１２の形状や構造によって、一般的なランドセル２で使用されない材料が必要な場合は、適宜設定して使用すれば良い。例えば、背負部材１２が枠体の場合は、軽量である程度の強度を有するアルミやステンレスなどの金属を使用するのが良い。
【００３２】
また、肩ベルト１４の材料、形状、設置位置は、一般的なランドセル２のものと同条件で良い。また、肩ベルト１４の長さを調節できる機能、食い込み防止のクッション材などの各種装備についても適宜設定すれば良い。また、この肩ベルト１４は、背負部材１２と着脱自在に連結可能であっても良い。このとき、連結手段は特に限定せず適宜設定すれば良い。一対の肩ベルト１４は、それぞれが独立した肩ベルトであっても良いし、一対の肩ベルト１４が一部で固定されている肩ベルト部材であっても良い。一対の肩ベルト１４がそれぞれ独立している場合、左肩用、右肩用に特定しても良い。このとき、特定の肩用に、形状、構造、その他の部材などを適宜設定しても良い。
【００３３】
また、背負部材１２には、連結手段１６が設けられていても良い。この連結手段１６は、収納部本体４の連結手段８と着脱自在に連結し、収納部本体４と背負部材１２を一体にする。連結手段１６としては、ファスナー、バックル、マジックテープ（登録商標）や、これらの組み合わせなどを使用することができるが、連結手段８に対応して適宜設定すれば良い。連結手段１６の設置数、設置箇所などは、収納部本体４と背負部材１２が安定して連結でき、容易に連結が外れないように適宜設定して設置すればよい。
【００３４】
また、図示されているように背負部材１２に連結面１８及び対峙面２０を設けても良い。この連結面１８は、収納部本体４と背負部材１２を連結したときに、収納部本体４の連結面１０と接する面であり、対峙面２０は、利用者がランドセル２を背負うときに利用者の背中と対峙する面のことである。
【００３５】
この連結面１８の大きさ及び形状などは、特に限定せず適宜設定すれば良い。また、この連結面１０は、必ずしも平面である必要はなく、緩やかな曲面であっても良いし、隆起を有していても良いが、収納部本体４と背負部材１２を連結したときに、互いの連結面１０が密接するような形状、構造であることが好ましい。
【００３６】
また、図３に示されているように収納部本体４の連結面１０の縁部に沿ってファスナーを設けた場合、連結手段１６も図８に示されているように、背負部材１２の連結面１０の縁部に沿ってファスナーを設けても良い。
【００３７】
対峙面２０の形状及び大きさについても、特に限定せず適宜設定すれば良い。特定の形状及び大きさを設定しても良いが、各利用者の背中と密接するように、複雑な隆起を形成したり、対峙面の大きさを調節するなどしても良い。
【００３８】
対峙面２０には、クッション材を設けても良いし、対峙面２０自体がクッション材として機能するような構造にしても良い。このクッション材の材料、形状、構造、設置数、設置箇所などの条件は、一般的なランドセル２の条件と同じで良く、適宜設定すれば良い。このクッション材は、着脱自在に連結可能であっても良い。このときの連結手段については、特に限定しない。また、利用者の背中に合う様に、利用者毎にクッション材の形状、材料、設置数、設置箇所などの条件を調節しても良い。
【００３９】
また、背負部材１２には、収納部本体４を支持するための保持部材を設けても良い。この保持部材は、収納部本体４の側面を周回する程度の長さを有し、収納部本体４の側面の一部又は全部を被覆して収納部本体４を保持するものである。この保持部材を設けることにより、収納部本体４と背負部材１２を強固に連結することができると共に、ランドセル２全体を安定させることができる。
【００４０】
保持部材の形状や構造は特に限定しないが、例えば、背負部材１２の両縁部に一対の保持本体を設け、保持本体に保持連結部材を設けて、収納部本体４の側面を保持本体で被覆し、保持連結部材を連結すれば、収納部本体４を支持することができる。また、背負部材１２と保持本体が着脱自在な構造であっても良い。また、保持部材の材料、保持本体の形状、大きさ、材料、保持連結部材の形状、構造、手段、大きさ、材料などは、種々の条件を考慮して適宜設定すれば良い。
【００４１】
また、本考案に係るランドセル２は、物品の収納及び出し入れが自在な収納部本体４と、収納部本体４に設けられた一対の肩ベルト１４を備え、収納部本体４には開口部と、開口部及び収納部本体４の一部を被覆可能な冠部材６が設けられ、一対の肩ベルト１４は、収納部本体４との基部において着脱自在に連結可能であっても良い。
【００４２】
肩ベルト１４と収納部本体４を連結する連結手段は、特に限定せず適宜設定すれば良い。一対の肩ベルト１４は、それぞれが独立した肩ベルトであっても良いし、一対の肩ベルト１４が一部で固定されている肩ベルト部材であっても良い。一対の肩ベルト１４がそれぞれ独立している場合、左肩用、右肩用に特定しても良い。このとき、特定の肩用に、形状、構造、その他の部材などを適宜設定しても良い。
【００４３】
次に、本考案に係るランドセルユニット２２について説明する。図９は、本考案に係るランドセルユニット２２を使用例を示した説明図である。本考案に係るランドセルユニット２２は、収納容量及び／又は形状がそれぞれ異なる複数の収納部本体４と、収納部本体４に装着する一つ又は複数の背負部材１２とからなり、複数の収納部本体４の中の一つと、背負部材１２の中の一つを連結してランドセル２とすることを特徴とする。
【００４４】
収納部本体４の、それぞれの収納容量、形状、構造、大きさ、色彩といった各種条件は、それぞれ適宜設定すれば良い。また、背負部材１２が複数の場合についても、それぞれの形状、構造、材料、肩ベルト１４などに関する設定など、各種条件は適宜設定すれば良い。その他の収納部本体４及び背負部材１２に関する詳細な説明は、上記したものと同等であるため省略する。
【００４５】
また、本考案に係るランドセルユニット２２は、物品の収納及び出し入れが自在な収納部本体４を複数有し、収納部本体４に装着する一対の肩ベルト１４を一つ又は複数有し、複数の収納部本体４の中の一つと、一対の肩ベルト１４の中の一つを装着してランドセル２としても良い。
【００４６】
収納部本体４の、それぞれの収納容量、形状、構造、大きさ、色彩といった各種条件は、それぞれ適宜設定すれば良い。例えば、収納部本体４の形状の一つとして、冠部材６、開口部を有していない形状であっても良い。また、一対の肩ベルト１４が複数の場合は、それぞれの形状、構造、材料といった各種条件は適宜設定すれば良い。また、一対の肩ベルト１４が複数のときに、全てがそれぞれが独立した肩ベルトであっても良いし、全てが一対の肩ベルトが一部で固定された肩ベルト部材であっても良いし、両者のの組み合わせであっても良く、適宜設定すれば良い。その他の収納部本体４及び肩ベルト１４に関する詳細な説明は、上記したものと同等であるため省略する。
【００４７】
以上が本考案に係るランドセル２及びランドセルユニット２２に関する説明であるが、本考案の目的を逸脱しない限り種々の条件、設定は変更が可能である。
【産業上の利用可能性】
【００４８】
本考案に係るランドセル及びランドセルユニットは、利用者の体が成長してランドセルが小さくなったとしても、背負部材を取り替えるだけで体に合う最適なランドセルとすることができるため、利用者の体に合わせたランドセルを低コストで提供することができ、小学校の入学時に購入する時以外は、消費者との関係性がほとんどなかった従来のランドセル関係の市場において、利用者が小学校に在学している間中、消費者と関係性を保つことができ、ランドセル関係の市場を大幅に拡大する可能性を有している。
【図面の簡単な説明】
【００４９】
【図１】本考案に係るランドセルの一実施の形態を示した説明図である。
【図２】本考案に係るランドセルを分解した状態を示した説明図ある。
【図３】本考案に係る収納部本体を示した説明図である。
【図４】本考案に係る収納部本体を示した説明図である。
【図５】本考案に係る収納部本体の一実施の形態を示した説明図である。
【図６】本考案に係る収納部本体の一実施の形態を示した説明図である。
【図７】本考案に係る背負部材の一実施の形態を示した説明図である。
【図８】本考案に係る背負部材の一実施の形態を示した説明図である。
【図９】本考案に係るランドセルユニットの使用例を示した説明図である。
【符号の説明】
【００５０】
２    ランドセル
４    収納部本体
６    冠部材
８    連結手段
１０  連結面
１２  背負部材
１４  肩ベルト
１６  連結手段
１８  連結面
２０  対峙面
２２  ランドセルユニット
【図１】
0003103330.tif 000003
【図２】
0003103330.tif 000004
【図３】
0003103330.tif 000005
【図４】
0003103330.tif 000006
【図５】
0003103330.tif 000007
【図６】
0003103330.tif 000008
【図７】
0003103330.tif 000009
【図８】
0003103330.tif 000010
【図９】
0003103330.tif 000011